(57)【要約】【課題】ミスト噴出部から冷たい水が噴出されることにより使用者に不快感を与えることを回避しつつ、製造コストを抑えることが可能な浴用ミスト装置を提供する。【解決手段】ミスト運転中断制御の実行からミスト運転再開制御の実行までの時間が所定の第1時間より短く、かつ、前記再開制御の実行からのミスト運転の継続時間が所定の第２時間より短いときには、前記再開制御の実行後において、ミスト用湯水の温度が上限温度より高い場合、および、下限温度より低い場合に、ミスト運転中断制御を実行せず、ミスト運転中断制御の実行からミスト運転再開制御の実行までの時間が所定の第1時間以上であるとき、または、前記再開制御の実行からのミスト運転の継続時間が所定の第２時間以上であるときには、前記再開制御の実行後において、ミスト用湯水の温度が上限温度より高い場合、および、下限温度より低い場合に、ミスト運転中断制御を実行する。【選択図】図２
2018114013.tif 000002
【特許請求の範囲】
【請求項１】
ミスト噴霧の開始を指令するミスト噴霧開始指令手段の操作によって、給湯手段から供給されるミスト用湯水がミスト用給湯管路を経由してミスト噴出手段からミスト状に噴出されるミスト運転を、制御部が実行するように構成された浴用ミスト装置であって、
前記給湯手段から供給され、前記ミスト用給湯管路を通流する前記ミスト用湯水の温度を検出するミスト用湯水温度検出手段と、
前記浴室外に設置された浴室外操作器に設けられ、前記ミスト噴霧開始指令手段として機能する第１のミストサウナスイッチと、
前記浴室内に設置された浴室内操作器に設けられ、前記ミスト噴霧開始指令手段として機能する第２のミストサウナスイッチとを備え、
（１）前記ミスト用湯水温度検出手段による検出温度が所定の温度以上であるときには、前記第１のミストサウナスイッチ、または、前記第２のミストサウナスイッチの操作によって前記制御部が前記ミスト運転を実行し、
（２）前記ミスト用湯水温度検出手段による検出温度が所定の温度未満であるときには、（ａ）前記第２のミストサウナスイッチが操作されても前記制御部が前記ミスト運転を実行せず、（ｂ）前記第１のミストサウナスイッチが操作されたときには、前記制御部が前記ミスト運転を実行するように構成されているとともに、
前記ミスト運転の実行中において、前記ミスト用湯水温度検出手段による検出温度がミスト運転停止用上限温度より高いとき、または、前記ミスト用湯水温度検出手段による検出温度がミスト運転停止用下限温度より低いときには、前記制御部が前記ミスト運転を停止するミスト運転中断制御を実行し、
前記ミスト運転中断制御の実行中に、前記ミスト噴霧開始指令手段が操作されたときには、前記制御部が前記ミスト運転を実行するミスト運転再開制御を実行し、
前記ミスト運転中断制御が実行されてから、前記ミスト運転再開制御が実行されるまでの前記ミスト運転の停止時間が所定の第1時間より短く、かつ、前記ミスト運転再開制御が実行されてからの前記ミスト運転の継続時間が所定の第２時間より短いときには、前記ミスト運転再開制御の実行後において、前記ミスト用湯水温度検出手段による検出温度がミスト運転停止用上限温度より高い場合、および、前記ミスト用湯水温度検出手段による検出温度がミスト運転停止用下限温度より低い場合のいずれの場合にも、前記制御部が前記ミスト運転中断制御を実行せず、
前記ミスト運転中断制御が実行されてから、前記ミスト運転再開制御が実行されるまでの前記ミスト運転の停止時間が前記所定の第1時間以上であるとき、または、前記ミスト運転再開制御が実行されてからの前記ミスト運転の継続時間が前記所定の第２時間以上であるときには、前記ミスト運転再開制御の実行後において、前記ミスト用湯水温度検出手段による検出温度がミスト運転停止用上限温度より高い場合、および、前記ミスト用湯水温度検出手段による検出温度がミスト運転停止用下限温度より低い場合のいずれの場合にも、前記制御部が前記ミスト運転中断制御を実行するように構成されていること
を特徴とする浴用ミスト装置。
【請求項２】
前記ミスト運転中断制御が実行された後の、前記ミスト運転の停止時間が前記所定の第1時間より短い場合において、
前記第２のミストサウナスイッチが操作されたときには、前記制御部が前記ミスト運転再開制御を実行せず、
前記第１のミストサウナスイッチが操作されたときには、前記制御部が前記ミスト運転再開制御を実行するように構成されていること
を特徴とする請求項１記載の浴用ミスト装置。
【発明の詳細な説明】
【技術分野】
【０００１】
本発明は、浴用ミスト装置に関し、詳しくは、ミスト噴霧の開始が指令されると、給湯手段から供給されるミスト用湯水が、ミスト噴出手段からミスト状に噴霧されるように構成された浴用ミスト装置に関する。
【背景技術】
【０００２】
近年、浴室でミストを噴霧することによりサウナ効果を得ることができるようにした浴用ミスト装置が用いられるようになっている。
【０００３】
そのような浴用ミスト装置の１つとして、特許文献１には、熱源手段から熱媒循環路を通して供給される熱媒により、給水路を通して供給される水を加熱する液々熱交換器を備え、該液々熱交換器において加熱された湯水をミスト噴出手段に供給するように構成された浴用ミスト装置が開示されている。
【０００４】
そして、この浴用ミスト装置においては、熱源機から液々熱交換器への熱媒の供給を開始したのち、熱媒サーミスタの検出温度が加熱用設定温度以上になり、加熱可能状態を検出すると、ミスト噴出部への湯水の供給を開始するように構成されており、ミスト噴出部から冷たい水が噴出されることを回避して、ミスト噴出部から冷たい水が噴出されることにより使用者に不快感を与えることがないように構成されている。
【０００５】
その結果、この浴用ミスト装置を用いることにより、液々熱交換器において適切な温度に加熱された湯水を、ミスト噴出手段からミスト状に噴出させて、手軽にミスト浴を楽しむことが可能になる。
【先行技術文献】
【特許文献】
【０００６】
【特許文献１】特開２００３−３３４２３０号公報
【発明の概要】
【発明が解決しようとする課題】
【０００７】
しかしながら、特許文献１の浴用ミスト装置においては、上述のように、液々熱交換器において適切な温度に加熱された湯水をミスト噴出部からミスト状に噴出させることで、ミスト噴出部から冷たい水が噴出されることにより使用者に不快感を与えることを回避するように構成されており、給水用流路を通流する水を加熱するための液々熱交換器が必要であることから、製造コストの増大や構造の複雑化を招くという問題点がある。
【０００８】
本発明は、上記の課題を解決するものであり、液々熱交換器を必要とせず、製造コストを低減することが可能で、しかも、ミスト噴出部から冷たい水が噴出されることにより使用者に不快感を与えることを回避することが可能な浴用ミスト装置を提供することを目的とする。
【課題を解決するための手段】
【０００９】
上記の目的を達成するために、本発明の浴用ミスト装置は、
ミスト噴霧の開始を指令するミスト噴霧開始指令手段の操作によって、給湯手段から供給されるミスト用湯水がミスト用給湯管路を経由してミスト噴出手段からミスト状に噴出されるミスト運転を、制御部が実行するように構成された浴用ミスト装置であって、
前記給湯手段から供給され、前記ミスト用給湯管路を通流する前記ミスト用湯水の温度を検出するミスト用湯水温度検出手段と、
前記浴室外に設置された浴室外操作器に設けられ、前記ミスト噴霧開始指令手段として機能する第１のミストサウナスイッチと、
前記浴室内に設置された浴室内操作器に設けられ、前記ミスト噴霧開始指令手段として機能する第２のミストサウナスイッチとを備え、
（１）前記ミスト用湯水温度検出手段による検出温度が所定の温度以上であるときには、前記第１のミストサウナスイッチ、または、前記第２のミストサウナスイッチの操作によって前記制御部が前記ミスト運転を実行し、
（２）前記ミスト用湯水温度検出手段による検出温度が所定の温度未満であるときには、（ａ）前記第２のミストサウナスイッチが操作されても前記制御部が前記ミスト運転を実行せず、（ｂ）前記第１のミストサウナスイッチが操作されたときには、前記制御部が前記ミスト運転を実行するように構成されているとともに、
前記ミスト運転の実行中において、前記ミスト用湯水温度検出手段による検出温度がミスト運転停止用上限温度より高いとき、または、前記ミスト用湯水温度検出手段による検出温度がミスト運転停止用下限温度より低いときには、前記制御部が前記ミスト運転を停止するミスト運転中断制御を実行し、
前記ミスト運転中断制御の実行中に、前記ミスト噴霧開始指令手段が操作されたときには、前記制御部が前記ミスト運転を実行するミスト運転再開制御を実行し、
前記ミスト運転中断制御が実行されてから、前記ミスト運転再開制御が実行されるまでの前記ミスト運転の停止時間が所定の第1時間より短く、かつ、前記ミスト運転再開制御が実行されてからの前記ミスト運転の継続時間が所定の第２時間より短いときには、前記ミスト運転再開制御の実行後において、前記ミスト用湯水温度検出手段による検出温度がミスト運転停止用上限温度より高い場合、および、前記ミスト用湯水温度検出手段による検出温度がミスト運転停止用下限温度より低い場合のいずれの場合にも、前記制御部が前記ミスト運転中断制御を実行せず、
前記ミスト運転中断制御が実行されてから、前記ミスト運転再開制御が実行されるまでの前記ミスト運転の停止時間が前記所定の第1時間以上であるとき、または、前記ミスト運転再開制御が実行されてからの前記ミスト運転の継続時間が前記所定の第２時間以上であるときには、前記ミスト運転再開制御の実行後において、前記ミスト用湯水温度検出手段による検出温度がミスト運転停止用上限温度より高い場合、および、前記ミスト用湯水温度検出手段による検出温度がミスト運転停止用下限温度より低い場合のいずれの場合にも、前記制御部が前記ミスト運転中断制御を実行するように構成されていること
を特徴としている。
【００１０】
また、本発明の浴用ミスト装置においては、
前記ミスト運転中断制御が実行された後の、前記ミスト運転の停止時間が前記所定の第1時間より短い場合において、
前記第２のミストサウナスイッチが操作されたときには、前記制御部が前記ミスト運転再開制御を実行せず、
前記第１のミストサウナスイッチが操作されたときには、前記制御部が前記ミスト運転再開制御を実行するように構成されていること
が好ましい。
【発明の効果】
【００１１】
本発明の浴用ミスト装置は上述のように構成されているので、液々熱交換器を必要とせず、構成も簡潔になるため、製造コストを低減することができる。また、ミスト噴出部から噴霧される低温のミストを使用者が不用意に浴びてしまうことを抑制することが可能になる。その結果、経済性に優れ、かつ、使用者に不快感を与えることがなく、使い勝手のよい浴用ミスト装置を提供することが可能になる。
【００１２】
さらに、ミスト運転中断制御が実行されてから、ミスト運転再開制御が実行されるまでのミスト運転の停止時間が所定の第1時間より短く、かつ、ミスト運転再開制御が実行されてからのミスト運転の継続時間が所定の第２時間より短いときにはミスト運転中断制御を実行しないので、ミスト運転中断制御の実行によるミスト用湯水の噴霧の頻繁な中断が抑制され、使い勝手の良好な浴用ミスト装置を実現することができる。
【００１３】
なお、ミスト運転は、ミスト用湯水を小さな液滴にして噴霧することにより行われるので、ミスト用湯水の温度がミスト運転停止用上限温度（例えば６０℃）より高い場合、および、ミスト用湯水の温度がミスト運転停止用下限温度（例えば２８℃）より低い場合のいずれの場合も、短時間であれば、使用者に大きな不快感を与えることがないため、ミスト用湯水の噴霧の頻繁な中断が抑制されることによる使用感の向上の効果の方が大きくなる。すなわち、上述の条件下ではミスト運転中断制御を実行しないことで、使用者に大きな不快感を与えることなく、ミスト用湯水の噴霧の頻繁な中断による煩わしさを軽減して、使用感の向上を図ることができる。
【００１４】
また、ミスト運転中断制御が実行された後、ミスト運転の停止時間が所定の第1時間より短い場合において、第２のミストサウナスイッチ（浴室内操作器に設けられた、ミスト噴霧開始指令手段として機能するミストサウナスイッチ）が操作されたときには、制御部がミスト運転再開制御を実行せず、第１のミストサウナスイッチが操作されたときには、制御部がミスト運転再開制御を実行するようにした場合、浴室内にいる使用者がミスト噴霧開始指令手段を操作することによりミスト噴出部から噴霧されることになる、ミスト運転停止用上限温度より高い、あるいは、ミスト運転停止用下限温度より低い温度のミストを使用者が不用意に浴びてしまうことを抑制することが可能になり、本発明をより実効あらしめることができる。
【図面の簡単な説明】
【００１５】
【図１】本発明の一実施形態にかかる浴用ミスト装置の構成を示す縦断面図である。
【図２】本発明の一実施形態にかかる浴用ミスト装置の内部の配管を説明する管路図である。
【図３】本発明の一実施形態にかかる浴用ミスト装置を浴室に設置した状態の斜視図である。
【図４】本発明の一実施形態にかかる浴用ミスト装置の制御部のブロック図である。
【図５】本発明の一実施形態にかかる浴用ミスト装置が備える浴室外操作器（脱衣所用の操作器）の正面図である。
【図６】本発明の一実施形態にかかる浴用ミスト装置が備える浴室内操作器の正面図である。
【発明を実施するための形態】
【００１６】
以下、本発明の実施形態を示して、その特徴とするところをさらに詳しく説明する。
【００１７】
［実施形態］
この実施形態にかかる浴用ミスト装置は、図１〜３に示すように、ユニットバスなどの浴室２に設置されるミスト機能付浴室乾燥機（以下、単に「浴室暖房乾燥機Ａ」という）として構成されている。
【００１８】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴、を実行する機能を備えている。
【００１９】
また、この浴室暖房乾燥機Ａを浴室２に設置するにあたっては、例えば、図３に示すように、浴槽７の上方の、浴室２の天井８に設置される。
【００２０】
浴室暖房乾燥機Ａの本体（浴室暖房乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室暖房乾燥機本体９の下面側に取り付けられている。
【００２１】
また、図１および図２に示すように、浴室暖房乾燥機本体９内には、熱交換器（温風用熱交換器）（加熱部）１３および送風機１４（１４ａ，１４ｂ）が内装されている。
【００２２】
この温風用熱交換器１３は、内部に温水を通すことで外部を流れる空気、つまり浴室２内に送り込まれる空気と温水とを熱交換して、空気を加熱するように構成されている。この温風用熱交換器１３は浴室暖房乾燥機本体９に配管した暖房用温水管路１５の途中に配置されており、暖房用温水管路１５には給湯暖房機などの熱源機１６（図３）から温水が供給されるように構成されている。
【００２３】
また、図１および図２に示すように、暖房用温水管路１５には温風用熱交換器１３への温水の供給を開閉する熱動弁（暖房用開閉弁）１７が設けられており、暖房用温水管路１５にはこの管路を流れる温水の温度を検出する暖房温水サーミスタＴＨ２が配設されている。
【００２４】
なお、熱源機１６で加熱された温水は、往き配管５１を経由して浴室暖房乾燥機Ａの往き配管接続部５２（図１）から浴室暖房乾燥機Ａに送り込まれ、浴室暖房乾燥機Ａの温風用熱交換器１３で放熱した後、浴室暖房乾燥機Ａが備える戻り配管接続部６２（図１）から戻り配管６１を経由して熱源機１６へ戻るように、往き配管５１と戻り配管６１とが配設されている。
【００２５】
図１に示すように、この実施形態にかかる浴室暖房乾燥機Ａにおいて、送風機１４は、浴室内空気を循環させる浴循環ファン１４ａと、浴室内空気を外部へ排出する換気ファン１４ｂとを備えた構成とされている。また、屋外への排気口の手前には、逆流を防止するための逆風止め５０を備えている。
【００２６】
さらに、浴室暖房乾燥機本体９の下面側には循環ファン１４ａで送風される空気を浴室２内に吹き出す吹き出し口３が設けられている。この吹き出し口３には可動ルーバー１８が回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００２７】
また、この浴室暖房乾燥機Ａは、ミスト浴の機能を具備するためにミスト発生部１９が組み込まれている。ミスト発生部１９のミストノズル（ミスト噴出部）４は、グリル板１２の一部に配置されており、ミスト用給湯管路２０がミストノズル４に連通している。
【００２８】
図２に示すように、ミストノズル４として、２．０リットル／ｍｉｎ程度の流量で温水のミストを噴霧する２個のミストノズル４ａ，４ｂが配設されており、ミストノズル４（４ａ，４ｂ）の手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水がミスト状噴霧される。なお、このミストノズル４（４ａ，４ｂ）が本発明におけるミスト噴出手段を構成している。
【００２９】
そして、２つのミストノズル４（４ａ，４ｂ）の両方から温水のミストを噴霧すると、ミスト用給湯管路２０に４．０リットル／ｍｉｎの温水が通流し「強」に相当するミスト量でミストが噴霧され、２つのミストノズル４ａ，４ｂの一方から温水のミストを噴霧すると、ミスト用給湯管路２０に２．０リットル／ｍｉｎの温水が通流し「弱」に相当するミスト量でミストが噴霧されるように構成されている。
【００３０】
この実施形態の、浴用ミスト装置を備えた浴室暖房乾燥機Ａにおいては、ミスト発生部１９が浴室暖房乾燥機本体９の上に搭載されているが、ミスト発生部１９を浴室暖房乾燥機本体９の中に収納するようにしてもよい。
【００３１】
ミスト用給湯管路２０には、本発明における給湯装置としても機能する熱源機１６から温水が供給されるように構成されており、入口側から順にストレーナ２２、給湯電磁弁（給水開閉弁）２３が設けられている（図１、図２）。ただし、図３においては、給湯配管の図示は省略している。
ただし、ミスト用湯水を、熱源機１６とは別に配設された給湯装置から供給するように構成することも可能である。
【００３２】
因みに、浴室暖房乾燥機Ａの取扱説明書で、給湯装置（を兼ねる熱源機１６）の出湯設定温度を４８℃に設定するように指定されており、給湯装置（熱源機１６）からは、４８℃の温水が供給されるように構成されている。
【００３３】
ミスト用給湯管路２０におけるミスト開閉弁２１ａ，２１ｂの上流側には、ミスト用給湯管路２０を流れる温水の温度を検出するミスト温度サーミスタＴＨ１が配設されている。
【００３４】
また、浴室暖房乾燥機Ａは、図３に示すように、浴室２外の脱衣所に設けた浴室外操作器５や浴室２内に設けた浴室内操作器３０にてリモコン操作されるように構成されている。
【００３５】
図５に示すように、浴室外操作器５には、タイマー表示部３１、タイマー設定スイッチ３２、風向スイッチ３３、第１のミストサウナスイッチ３４、乾燥スイッチ６、暖房スイッチ３６、涼風スイッチ３７、換気スイッチ３８、停止スイッチ３９が設けられている。
【００３６】
また、浴室外操作器５は、ミストノズル４ａおよびミストノズル４ｂの両方から温水をミスト状に噴霧している状態（ミストが強く噴霧されている状態）を示すための強ランプ（ＬＥＤ）３４ａと、ミストノズル４ａまたはミストノズル４ｂのうちの一方（この実施形態では、ミストノズル４ａ）のみから温水をミスト状に噴霧している状態（ミストが弱く噴霧されている状態）を示すための弱ランプ（ＬＥＤ）３４ｂを備えている。
【００３７】
また、図６に示すように、浴室内操作器３０には、表示手段（状態表示部）４０、第２のミストサウナスイッチ１３４、ミスト強弱切換スイッチ４１、浴室内温度設定スイッチ４２、浴室内暖房スイッチ１３６、浴室内涼風スイッチ１３７、浴室内風向スイッチ１３３、ミスト入浴時間計測用のストップウォッチのスタート／ストップスイッチ４３、リセットスイッチ４５、浴室内停止スイッチ１３９が設けられている。
【００３８】
また、浴室内操作器３０は、ミストノズル４ａおよびミストノズル４ｂの両方から温水をミスト状に噴霧している状態（ミストが強く噴霧されている状態）を示すための強ランプ（ＬＥＤ）１３４ａと、ミストノズル４ａまたはミストノズル４ｂの内の一方（この実施形態では、ミストノズル４ａ）のみから温水をミスト状に噴霧している状態（ミストが弱く噴霧されている状態）を示すための弱ランプ（ＬＥＤ）１３４ｂを備えている。
【００３９】
因みに、浴室外操作器５においては、後述するように第１のミストサウナスイッチ３４を一度押し操作するか、二度押しするかによってミスト運転の「強」 「弱」が切り替えられる。また、浴室内操作器３０においては、ミスト強弱切換スイッチ４１を押し操作する毎にミスト運転の「強」「弱」が切り替えられる。
【００４０】
また、この実施形態にかかる浴室暖房乾燥機Ａにおいては、グリル板１２の吸い込み口１近傍に、吸気の湿度を検知する湿度検出手段（湿度センサ）２７（図１、図２）が配設されている。
湿度検出手段２７としては、例えば、ＮＴＣサーミスタなどの感温素子で構成された湿度センサを用いることができる。
【００４１】
なお、湿度検出手段２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００４２】
また、図４は、浴室暖房乾燥機Ａの制御部Ｂの一例を示す図である。制御部Ｂには、メモリ（記憶部）２８、演算回路２９などが内蔵され、上記浴室外操作器５や浴室内操作器３０をリモコン操作することで制御部Ｂにて、以下の特徴的構成１および特徴的構成２の欄で説明するような制御が行われるように構成されている。
【００４３】
＜特徴的構成１＞
次に、この実施形態にかかる、浴用ミスト装置を備えた浴室暖房乾燥機Ａの特徴的な構成について説明する。
【００４４】
浴室暖房乾燥機Ａは、上述のように、制御部Ｂ（図４）を備えており、この制御部Ｂが、以下に説明するミスト運転を実行する。
【００４５】
この実施形態では、ミスト噴霧の開始を指令する第１のミストサウナスイッチ（ミスト噴霧開始指令手段）３４（図５）の操作によって、給湯装置（この実施形態では熱源機１６）から供給されるミスト用湯水を、制御部Ｂが、ミスト用給湯管路２０を経由してミスト噴出手段（この実施形態ではミストノズル）４ａ，４ｂからミスト状に噴出させることにより実行される。
【００４６】
また、この実施形態において、ミスト運転は給湯装置から４８℃の温水を供給することにより行われるが、浴室暖房乾燥機Ａは、ミスト用給湯管路２０を通流するミスト用湯水の温度を検出するミスト用湯水温度検出手段（ミスト温度サーミスタ）ＴＨ１（図１、図２）による検出温度が、所定の温度（例えば３８℃）に達したことを報知する報知手段を備えている。この報知手段について以下に説明する。上記所定の温度は、３８℃以外の温度とすることも可能である。
【００４７】
第１のミストサウナスイッチ（ミスト噴霧開始指令手段）３４を一度押し操作すると、制御部Ｂがミスト「強」運転を実行し、ミストノズル４ａおよびミストノズル４ｂの両方から温水をミスト状に噴霧し、第１のミストサウナスイッチ３４の上に配置された強ランプ（ＬＥＤ）３４ａが点灯し、また、第１のミストサウナスイッチ（ミスト噴霧開始指令手段）３４を二度押し操作すると、制御部Ｂがミスト「弱」運転を実行し、ミストノズル４ａまたはミストノズル４ｂの内の一方（この実施形態では、ミストノズル４ａ）から温水をミスト状に噴霧し、第１のミストサウナスイッチ３４の上に配置された弱ランプ（ＬＥＤ）３４ｂが点灯するように構成されている。
【００４８】
この第１のミストサウナスイッチ３４の上に配置される強ランプ３４ａおよび弱ランプ３４ｂは、ミスト運転の開始を報知する報知手段としての機能を兼ね備えている。
【００４９】
すなわち、ミストの噴霧を開始してから、ミスト温度サーミスタＴＨ１（図１、図２）による検出温度が所定の温度（例えば３８℃）未満である期間は、制御部Ｂがミスト「強」運転を実行している場合は第１のミストサウナスイッチ３４の上に配置される強ランプ３４ａが点滅し、制御部Ｂがミスト「弱」運転を実行している場合は第１のミストサウナスイッチ３４の上に配置される弱ランプ３４ｂが点滅することで、ミスト温度サーミスタＴＨ１による検出温度が所定の温度（例えば３８℃）未満であることを報知するように構成されている。
【００５０】
そして、ミスト温度サーミスタＴＨ１（図１、図２）による検出温度が所定の温度（例えば３８℃）以上となった時点で、制御部Ｂがミスト「強」運転を実行している場合は第１のミストサウナスイッチ３４の上に配置される強ランプ３４ａが連続点灯し、制御部Ｂがミスト「弱」運転を実行している場合は第１のミストサウナスイッチ３４の上に配置される弱ランプ３４ｂが連続点灯することで、ミスト温度サーミスタＴＨ１による検出温度が所定の温度（例えば３８℃）以上であることを報知するように構成されている。
【００５１】
なお、この実施形態の浴室暖房乾燥機Ａでは、上述のように、浴室内操作器３０に、浴室外操作器５の強ランプ（ＬＥＤ）３４ａ、弱ランプ（ＬＥＤ）３４ｂと同様に機能する強ランプ（ＬＥＤ）１３４ａ、弱ランプ（ＬＥＤ）１３４ｂが配設されている。
【００５２】
さらに説明すると、この実施形態の浴室暖房乾燥機Ａでは、ミスト用湯水温度検出手段ＴＨ１による検出温度が所定の温度以上であるときには、浴室２の外に設置された浴室外操作器５が備える第１のミストサウナスイッチ３４、および、浴室２に設置された浴室内操作器３０が備える第２のミストサウナスイッチ１３４がミスト噴霧開始指令手段として機能し、第１のミストサウナスイッチ３４の操作、あるいは、第２のミストサウナスイッチ１３４の操作によって、制御部Ｂがミスト運転を実行する。
【００５３】
一方、ミスト用湯水温度検出手段ＴＨ１による検出温度が所定の温度（例えば３８℃）未満である場合には、浴室２に設置された浴室内操作器３０が備える第２のミストサウナスイッチ１３４を操作しても、制御部Ｂがミスト運転を実行しないように構成されている。
【００５４】
ただし、ミスト用湯水温度検出手段ＴＨ１による検出温度が所定の温度（例えば３８℃）未満である場合でも、浴室２の外に設置された浴室外操作器５が備える第１のミストサウナスイッチ３４が操作されたときには、制御部Ｂがミスト運転を実行する。そして、ミスト用湯水温度検出手段ＴＨ１による検出温度が所定の温度に達したときに、その旨を報知手段によって報知する。
【００５５】
この実施形態の浴室暖房乾燥機Ａにおいては、上述のように、ミスト温度サーミスタＴＨ１（図１、図２）による検出温度が所定の温度（例えば３８℃）以上となった時点で、制御部Ｂがミスト「強」運転を実行している場合は第１のミストサウナスイッチ３４の上に配置される強ランプ３４ａが連続点灯し、制御部Ｂがミスト「弱」運転を実行している場合は第１のミストサウナスイッチ３４の上に配置される弱ランプ３４ｂが連続点灯することで、ミスト温度サーミスタＴＨ１による検出温度が所定の温度（例えば３８℃）に達したことが報知されることになる。すなわち、第１のミストサウナスイッチ３４の上に配置される強ランプ３４ａ、および、弱ランプ３４ｂが報知手段としても機能するように構成されている。
【００５６】
この実施形態の浴室暖房乾燥機Ａは上述のように構成されており、液々熱交換器を必要としないため、製造コストを低減することができる。
【００５７】
しかも、ミスト用湯水温度検出手段ＴＨ１による検出温度が所定の温度（例えば３８℃）未満であるときには、浴室内操作器３０が備える第２のミストサウナスイッチ１３４が操作されてもミスト運転を実行せず、浴室外操作器５の第１のミストサウナスイッチ３４の操作によってミスト運転を実行し、ミスト用湯水温度検出手段ＴＨ１による検出温度が所定の温度に達したときに、その旨を報知手段によって報知するようにしているので、ミスト噴出手段であるミストノズル４（４ａ、４ｂ）から噴霧される低温のミストを使用者が不用意に浴びてしまうことを抑制することが可能になる。
【００５８】
その結果、経済性に優れ、かつ、使用者に不快感を与えることがなく、使い勝手のよい浴用ミスト装置を提供することが可能になる。
【００５９】
＜特徴的構成２＞
この実施形態の浴室暖房乾燥機Ａは、さらに、以下に示す特徴的構成を備えている。
【００６０】
すなわち、この浴室暖房乾燥機Ａにおいては、制御部Ｂが、以下に説明するミスト中断制御を実行する。
【００６１】
ミスト運転の実行中において、ミスト用湯水温度検出手段ＴＨ１による検出温度がミスト運転停止用上限温度（例えば６０℃）より高い状態が１０秒以上継続したとき、または、ミスト用湯水温度検出手段ＴＨ１による検出温度がミスト運転停止用下限温度（例えば２８℃）より低い状態が１０秒以上継続したときには、制御部Ｂがミスト開閉弁２１ａ，２１ｂを閉弁してミスト運転を停止するミスト運転中断制御を実行する。
【００６２】
なお、この実施形態の浴室暖房乾燥機Ａにおいては、制御部Ｂがミスト運転中断制御を実行すると、浴室外操作器５の強ランプ（ＬＥＤ）３４ａと弱ランプ（ＬＥＤ）３４ｂとを交互に点滅させてミスト運転中断制御が実行された旨の報知を行うとともに、浴室内操作器３０の強ランプ（ＬＥＤ）１３４ａと弱ランプ（ＬＥＤ）１３４ｂとを交互に点滅させてミスト運転中断制御が実行された旨の報知を行う。
【００６３】
この報知により、使用者は、ミスト運転中断制御が実行された旨を認識し、給湯装置（を兼ねる熱源機１６）の出湯設定温度が４０℃から４８℃の範囲に設定されているかどうか確認し、給湯装置（を兼ねる熱源機１６）の出湯設定温度が４０℃から４８℃の範囲に設定されていない場合には、使用者によって、給湯装置（を兼ねる熱源機１６）の出湯設定温度が４０℃から４８℃の範囲に設定され、ミスト運転中断制御が実行されるに至った原因が取り除かれることになる。
【００６４】
そして、ミスト運転中断制御が実行されている場合において、ミスト運転中断制御が実行されるに至った原因が取り除かれ、その後、第１のミストサウナスイッチ（ミスト噴霧開始指令手段）３４が操作されたとき、または、第２のミストサウナスイッチ１３４（ミスト噴霧開始指令手段）が操作されたときに、制御部Ｂが、ミスト運転を実行するミスト運転再開制御を実行する。
【００６５】
なお、この実施形態の浴室暖房乾燥機Ａでは、ミスト運転中断制御が実行されてから、ミスト運転再開制御が実行されるまでのミスト運転の停止時間が所定の第１時間（例えば５分）より短く、かつ、ミスト運転再開制御が実行されてからのミスト運転の継続時間が所定の第２時間（例えば３０秒）より短いときには、ミスト運転再開制御の実行後において、ミスト用湯水温度検出手段ＴＨ１による検出温度がミスト運転停止用上限温度（例えば６０℃）より高い場合、および、ミスト用湯水温度検出手段ＴＨ１による検出温度がミスト運転停止用下限温度（例えば２８℃）より低い場合にも、制御部Ｂは、ミスト運転中断制御を実行せず、ミスト開閉弁２１ａ，２１ｂの開弁を継続してミスト運転を継続する。
【００６６】
ただし、ミスト運転中断制御が実行されてから、ミスト運転再開制御が実行されるまでのミスト運転の停止時間が所定の第１時間（例えば５分）以上であるとき、または、ミスト運転再開制御が実行されてからのミスト運転の継続時間が所定の第２時間（例えば３０秒）以上であるときには、ミスト運転再開制御の実行後において、ミスト用湯水温度検出手段ＴＨ１による検出温度がミスト運転停止用上限温度（例えば６０℃）より高い状態が１０秒以上継続した場合、および、ミスト用湯水温度検出手段ＴＨ１による検出温度がミスト運転停止用下限温度（例えば２８℃）より低い状態が１０秒以上継続した場合には、制御部Ｂがミスト開閉弁２１ａ，２１ｂを閉弁してミスト運転を停止するミスト運転中断制御を実行する。
【００６７】
この実施形態の浴室暖房乾燥機Ａはこのように構成されており、ミスト運転中断制御が実行されてから、ミスト運転再開制御が実行されるまでのミスト運転の停止時間が所定の第１時間（例えば５分）より短く、かつ、ミスト運転再開制御が実行されてからのミスト運転の継続時間が所定の第２時間（３０秒）より短いときには、ミスト運転中断制御を実行しないので、ミスト運転中断制御の実行によるミスト用湯水の噴霧の頻繁な中断が抑制され、使い勝手の良好な浴用ミスト装置を実現することができる。
【００６８】
なお、ミスト運転は、ミスト用湯水を小さな液滴にして噴霧することにより行われるので、ミスト用湯水温度検出手段ＴＨ１による検出温度がミスト運転停止用上限温度（例えば６０℃）より高い場合、および、ミスト用湯水温度検出手段ＴＨ１による検出温度がミスト運転停止用下限温度（例えば２８℃）より低い場合のいずれの場合も、短時間であれば、使用者に大きな不快感を与えることがない。
【００６９】
したがって、上述の条件（ミスト運転中断制御が実行されてから、ミスト運転再開制御が実行されるまでのミスト運転の停止時間が所定の第１時間（例えば５分）より短く、かつ、ミスト運転再開制御が実行されてからのミスト運転の継続時間が所定の第２時間（３０秒）より短いという条件）の下ではミスト運転中断制御を実行しないことで、使用者に大きな不快感を与えることなく、ミスト用湯水の噴霧の頻繁な中断による煩わしさを軽減して、使用感の向上を図ることができる。
【００７０】
さらに、本実施形態の浴室暖房乾燥機Ａでは、任意の構成として、以下のような構成を備えている。つまり、ミスト運転中断制御が実行された後の、ミスト運転の停止時間が所定の第１時間（５分）より短いときには、給湯装置として機能する熱源機１６からの給湯配管など（一般的には保温材により保温されている）に、ミスト運転停止用上限温度（例えば６０℃）より高い湯水、あるいは、ミスト運転停止用下限温度（例えば２８℃）より低い湯水が残っている蓋然性が高いことから、浴室内に配設された操作器である浴室内操作器３０の第２のミストサウナスイッチ１３４が操作されても、制御部Ｂはミスト運転再開制御を実行せず、第１のミストサウナスイッチ３４が操作されたときに、制御部Ｂがミスト運転再開制御を実行するように構成されている。
【００７１】
上述のように構成されている場合、ミスト噴出部（ミストノズル）から噴霧される、ミスト運転停止用上限温度（例えば６０℃）より高い温度、あるいは、ミスト運転停止用下限温度（例えば２８℃）より低い温度のミストを使用者が不用意に浴びてしまうことを抑制することが可能になり、より使用感の良好な浴用ミスト装置を提供することができる。
【００７２】
なお、本実施形態の浴室暖房乾燥機Ａは、前述したように、ミスト用湯水温度検出手段ＴＨ１による検出温度が所定の温度（例えば３８℃）未満であるときには、浴室内操作器３０が備える第２のミストサウナスイッチ１３４が操作されてもミスト運転を実行せず、浴室外操作器５の第１のミストサウナスイッチ３４の操作によってミスト運転を実行し、ミスト用湯水温度検出手段ＴＨ１による検出温度が所定の温度に達したときに、その旨を報知手段によって報知するようにしているので、ミスト噴出手段であるミストノズル４（４ａ、４ｂ）から噴霧される低温のミストを使用者が不用意に浴びてしまうことを抑制することができる。
【００７３】
上記実施形態では、ミスト運転停止用上限温度が６０℃、ミスト運転停止用下限温度が２８℃である場合を例にとって説明したが、これらの温度は例示した上記温度に限られるものではなく、状況に応じて他の温度とすることも可能である。
【００７４】
なお、本発明は、上記実施形態に限定されるものではなく、発明の範囲内において種々の応用、変形を加えることが可能である。
【符号の説明】
【００７５】
１        吸い込み口
２        浴室
３        吹き出し口
４（４ａ，４ｂ）      ミストノズル（ミスト噴出部）
５        浴室外操作器
９        浴室暖房乾燥機本体
１２      グリル板
１３      熱交換器（温風用熱交換器）（加熱部）
１４      送風機
１４ａ    循環ファン
１４ｂ    換気ファン
１６      熱源機（給湯装置）
１９      ミスト発生部
２０      ミスト用給湯管路
２１ａ    ミスト開閉弁
２１ｂ    ミスト開閉弁
２３      給湯電磁弁
２７      湿度検出手段（湿度センサ）
２８      メモリ
２９      演算回路
３０      浴室内操作器
３１      タイマー表示部（時間表示部）
３４      第１のミストサウナスイッチ（ミスト噴霧開始指令手段）
３４ａ    強ランプ
３４ｂ    弱ランプ
４０      表示手段（状態表示部）
５１      往き配管
３８      換気スイッチ
５２      往き配管接続部
６１      戻り配管
６２      戻り配管接続部
１３４    第２のミストサウナスイッチ（ミスト噴霧開始指令手段）
１３４ａ  強ランプ
１３４ｂ  弱ランプ
Ａ        浴室暖房乾燥機
Ｂ        制御部
ＴＨ１    ミスト温度サーミスタ（ミスト用湯水温度検出手段）
ＴＨ２    往き温水温度検出部（暖房温水サーミスタ）
ＴＨ３    浴室温度サーミスタ
【図１】
2018114013.tif 000003
【図２】
2018114013.tif 000004
【図３】
2018114013.tif 000005
【図４】
2018114013.tif 000006
【図５】
2018114013.tif 000007
【図６】
2018114013.tif 000008